(57)【要約】【課題】横編機でコース数や編目ループの大きさが異なる領域を接合して編地を編成する場合などのコース数の調整を、自動的に行うことも可能な、編成コース数の調整方法およびデザイン装置を提供する。【解決手段】（ａ）のデザイン編地１２では、ウエール方向の境界１２ｃを挟むコース数の多少に対応して、領域１２ａが多コース領域となり、領域１２ｂが少コース領域となる。（ｂ）の調整編地１５では、領域１５ａ，１５ｂを、領域１２ｂのコース数に等しい数の基底編成コース１６で編成する。領域１５ａ側のみにはさらに、領域１２ａ，１２ｂの差に等しい数の追加編成コース１７を、基底編成コース１６の間に分散するように挿入する。この結果、（ｃ）に示すように、編成編地１３としての外形や境界１３ｃでの歪みを小さくすることができる。【選択図】図１
2009120987.tif 000002
【特許請求の範囲】
【請求項１】
横編機で編成すべき編地の形状の基礎となる型紙に、共通の境界で接合すべき二つの領域が含まれ、二つの領域をコース方向に隣接して並行に編成すると、境界で歪みが発生する要因として、編目ループ長の違い、または接合すると境界となる部分の接合前の長さの違いのうちの少なくとも一方を有する場合に、境界での歪みが低減するように、各領域での編成コース数を調整する方法であって、
境界での歪みが発生する要因を解消しうるコース数を、二つの領域にそれぞれ算出し、
コース数の多い多コース領域とコース数の少ない少コース領域とを共通して編成する基底編成コースを、少コース領域のコース数に合わせて繰り返すように設定し、
多コース領域のみに、領域間のコース数の差だけの追加編成コースを、基底編成コースの繰り返しの間に分散して挿入することを特徴とする編成コース数の調整方法。
【請求項２】
横編機で編成する編地の基礎となる形状を表す型紙データと、型紙データに対する編成時の編目仕様とを設定すると、横編機で編地を編成するための編成データを生成するデザイン装置であって、
型紙データと編目仕様とに基づき、共通の境界でコース方向に隣接するように接合させると、境界で歪みを発生させる要因として、編目ループ長の違い、または接合すると境界となる部分の接合前の長さの違いのうちの少なくとも一方を有する二つの領域が含まれる場合に、二つの領域を抽出する領域抽出手段と、
領域抽出手段によって抽出される二つの領域に対し、予め定める条件に従って編成するコース数を設定するコース数設定手段と、
コース数設定手段によって設定されるコース数が少い方の少コース領域の編成に必要な基底編成コースを、少コース領域とコース数が多い方の多コース領域とを共通に編成するように設定し、領域間のコース数の差だけの追加編成コースを、基底編成コースの繰り返しの間に分散して挿入するように調整するコース調整手段とを、
含むことを特徴とするデザイン装置。
【請求項３】
前記コース数設定手段は、前記編目ループ長の違いに対する前記予め定める条件として、各領域の編成時の編目仕様に基づき、編目ループ長が長い領域の編成に必要なコース数を前記少コース領域のコース数に、編目ループ長が短い領域の編成に必要なコース数を前記多コース領域のコース数に、それぞれ設定することを特徴とする請求項２記載のデザイン装置。
【請求項４】
前記コース数設定手段は、前記境界となる部分の接合前の長さの違いに対する前記予め定める条件として、長さの短い方が長い方に合うように、長さの短い方の領域に、長さの不足分に相当する数の編成コースを追加するように設定することを特徴とする請求項２記載のデザイン装置。
【発明の詳細な説明】
【技術分野】
【０００１】
本発明は、横編機でコース方向に隣接して形状や編成仕様が異なる領域を含む編地を編成するために用いる、編成コース数の調整方法およびデザイン装置に関する。
【背景技術】
【０００２】
従来から、コンピュータ制御の横編機で編成するニット製品では、全体の形状を型紙の組合せとしてデザインし、型紙の各部を編成する条件を、所望する編地の風合いに基づいて設定するようにしている（たとえば、特許文献１参照）。また、成形編みでの編幅の増減を、編幅の内側で行う内減らしを行う場合、編幅の端部側に追加編成コースを設けて、編地の歪みを防止することができる方法も開示されている（たとえば、特許文献２参照）。
【０００３】
図９は、型紙１として二つの領域１ａ，１ｂを接合した形状を基礎とする編地をデザインし、横編機で編成して編地として製造するまでの過程を模式的に示す。後述する図も含めて、編地を図示する場合は、図の横方向はコース方向、図の縦方向はウエール方向をそれぞれ示す。格子は形状を単純化した編目ループに対応する。編目ループの数、コース数、ウエール数は、単純化した例を示す。
【０００４】
図９（ａ）は、型紙１で領域１ａ，１ｂが境界１ｃの両側に配置されている状態を示す。図９（ｂ）は、型紙１の各領域１ａ，１ｂにそれぞれ対応するデザイン編地２の領域２ａ，２ｂについて、編目ループの大きさなどの編成条件を設定した状態を示す。編目ループの大きさは、使用する横編機の針床での編針の針列ピッチであるゲージ、編糸の太さや張力、編目の種類、度目値などに応じて変化する。サンプルを試編みしてみて、風合いなどが好ましい編成条件が設定される場合がある。試編みなどの結果、デザイン編地２で編目ループの大きさが異なる領域２ａ，２ｂが境界２ｃの両側に生じ、領域２ａ，２ｂでは編地としてのコース数が異なるようになる。図９（ｃ）に示すように横編機で編成する編成編地３では、領域３ａ，３ｂが境界３ｃを挟み、編目単位で繋がらなければならないので、境界３ｃに歪みが生じる。また、編成編地３としての外形にも歪みが生じる。
【特許文献１】特許第２６７６１８２号公報
【特許文献２】特許第３０１０４８４号公報
【発明の開示】
【発明が解決しようとする課題】
【０００５】
図９（ｂ）に示すデザイン編地２の段階で、領域２ａ，２ｂで編目ループの大きさが同一であれば、図９（ｃ）の境界３ｃの歪みは生じないけれども、コース数が異なれば、外形に段差が生じる。編目ループの大きさが同一で、コース数も同一であっても、少なくとも一方の領域で編目を増減させる成形編みを行えば、境界や外形に歪みが生じる。デザイン編地２の領域２ａ，２ｂを分離して編成し、縫製で接合すれば、境界２ｃや外形に歪みや段差は生じないけれども、手間がかかる。編成編地３で、境界３ｃの一方に編成コースを追加するなどのコース数の調整を行えば、境界３ｃや外形の歪みを小さくして、コース数や編目ループの大きさが異なる領域を接合して編地を編成し、縫製の手間を省くことができる。しかしながら、編成編地３を自動的に編成する横編機を使用して編成を行うためには、境界３ｃや外形に歪みが小さくなるように追加編成コースなどを付加する位置や割合などを、試編みなどを繰返して設定して編成データを生成する必要がある。
【０００６】
本発明の目的は、横編機でコース数や編目ループの大きさが異なる領域を接合して編地を編成する場合などのコース数の調整を、自動的に行うことが可能な、編成コース数の調整方法およびデザイン装置を提供することである。
【課題を解決するための手段】
【０００７】
本発明は、横編機で編成すべき編地の形状の基礎となる型紙に、共通の境界で接合すべき二つの領域が含まれ、二つの領域はコース方向に隣接して並行に編成すると、境界で歪みが発生する要因として、接合すると境界となる部分の接合前の長さの違いのうちの少なくとも一方を有する場合に、境界での歪みが低減するように、各領域での編成コース数を調整する方法であって、
境界での歪みが発生する要因を解消しうるコース数を、二つの領域にそれぞれ算出し、
コース数の多い多コース領域とコース数の少ない少コース領域とを共通して編成する基底編成コースを、少コース領域のコース数に合わせて繰り返すように設定し、
多コース領域のみに、領域間のコース数の差だけの追加編成コースを、基底編成コースの繰り返しの間に分散して挿入することを特徴とする編成コース数の調整方法である。
【０００８】
さらに本発明は、横編機で編成する編地の基礎となる形状を表す型紙データと、型紙データに対する編成時の編目仕様とを設定すると、横編機で編地を編成するための編成データを生成するデザイン装置であって、
型紙データと編目仕様とに基づき、共通の境界でコース方向に隣接するように接合させると、境界で歪みを発生させる要因として、編目ループ長の違い、または接合すると境界となる部分の接合前の長さの違いのうちの少なくとも一方を有する二つの領域が含まれる場合に、二つの領域を抽出する領域抽出手段と、
領域抽出手段によって抽出される二つの領域に対し、予め定める条件に従って編成するコース数を設定するコース数設定手段と、
コース数設定手段によって設定されるコース数が少い方の少コース領域の編成に必要な基底編成コースを、少コース領域とコース数が多い方の多コース領域とを共通に編成するように設定し、領域間のコース数の差だけの追加編成コースを、基底編成コースの繰り返しの間に分散して挿入するように調整するコース調整手段とを、
含むことを特徴とするデザイン装置である。
【０００９】
また本発明で、前記コース数設定手段は、前記編目ループ長の違いに対する前記予め定める条件として、各領域の編成時の編目仕様に基づき、編目ループ長が長い領域の編成に必要なコース数を前記少コース領域のコース数に、編目ループ長が短い領域の編成に必要なコース数を前記多コース領域のコース数に、それぞれ設定することを特徴とする。
【００１０】
また本発明で、前記コース数設定手段は、前記境界となる部分の接合前の長さの違いに対する前記予め定める条件として、長さの短い方が長い方に合うように、長さの短い方の領域に、長さの不足分に相当する数の編成コースを追加するように設定することを特徴とする。
【発明の効果】
【００１１】
本発明によれば、基底編成コースで多コース領域と少コース領域とを共通して編成し、多コース領域のみを編成する追加編成コースを、領域間のコース数の差だけ、基底編成コースに分散して挿入する。追加編成コースは、基底編成コースの間に挿入されるので、外形には段差や歪みを生じさせないようにすることができる。また、基底編成コースの間に、追加編成コースが分散されるので、境界での歪みも小さくすることができる。多コース領域と少コース領域とを、横編機でコース方向に隣接させながら並行して編成するために必要な基底編成コース数、追加編成コース数、追加編成コースの挿入位置は、自動的な計算で求めることができる。
【００１２】
さらに本発明によれば、編地の基礎となる形状を表す型紙データと、型紙データに対する編成時の編目仕様とに基づき、共通の境界でコース方向に隣接するように接合させると、境界で歪みを発生させる場合に、境界での歪みが小さくなるようにコース数の調整を行う編成データを生成し、編地を編成することができる。
【００１３】
また本発明によれば、編目ループ長の違いに対応して、編目ループ長が長い多コース領域と、編目ループ長が短い少コース領域とを並行して編成するように、コース数を調整するので、外形や境界での歪みを小さくすることができる。
【００１４】
また本発明によれば、成形編みを行う場合など、接合前には異なる長さの部分を接合する場合でも、短い方に編成コースを追加するように調整して、外形や境界での歪みを小さくすることができる。
【発明を実施するための最良の形態】
【００１５】
図１は、本発明の実施の一形態としての編成コース数の調整方法を模式的に示す。図１（ａ）は、前述の図９（ｂ）と同様に、デザイン編地１２で編目ループの大きさが異なる領域１２ａ，１２ｂが境界１２ｃの両側に生じ、境界１２ｃを挟んで編地としてのコース数が異なるようになる状態を示す。このような状態は、図９（ａ）に示すような型紙１で、二つの領域１ａ，１ｂを共通の境界１ｃを挟んで並行に編成しても編目ループ長が異なるような場合に生じる。また、領域１２ａでゴム編み、領域１２ｂで平編みを行うなど、編地としての組織の違いで編目ループ長を変える場合などには、型紙１での領域１ａ，１ｂの存在を暗黙の前提として、直接、デザイン編地１２についてコース数の調整を行うことができる。編目ループを形成する際の編針の引込み量を大小に切換えて度違いの編成を行う場合も、編目ループ長の違いが生じ、コース数の調整の対象とすることができる。
【００１６】
本実施の形態では、図１（ｃ）に示すような編成編地１３を、図１（ｂ）に示すようにコース数を調整した調整編地１５の編成で得ることができる。図１（ａ）のデザイン編地１２では、ウエール方向の境界１２ｃを挟むコース数の多少に対応して、領域１２ａが多コース領域となり、領域１２ｂが少コース領域となる。図１（ｂ）の調整編地１５では、領域１５ａ，１５ｂをデザイン編地１２の領域１２ａ，１２ｂにそれぞれ対応させる。領域１５ａ，１５ｂは、領域１２ｂのコース数に等しい数の基底編成コース１６で編成する。領域１５ａ側のみにはさらに、領域１２ａ，１２ｂの差に等しい数の追加編成コース１７を、基底編成コース１６の間に分散するように挿入する。この結果、図１（ｃ）に示すように、編成編地１３としての外形や境界１３ｃでの歪みを小さくすることができる。
【００１７】
図２は、図１（ｂ）の調整編地１５を、横編機の針床に連続して配置される編針ａ，ｂ，ｃ，…，ｎの区間で、平編みとして編成する過程を例示する。編針ａ〜ｇで多コースの領域１５ａを編成し、編針ｈ〜ｎで少コースの領域１５ｂを編成する。左側に示す数値は、相対的な編成コースの順番を示す。数値は下から上に向って増加するので、編成は図の最下段側から最上段側に進められる。
【００１８】
１コース目では、編針ａから編針ｎまで連続的に給糸してニットの編目を形成する。ただし、各編針ａ，ｂ，ｃ，…，ｎは、すでに編目ループを係止しているものとする。編目ループが係止されていない場合は、ニットの編目の形成ではなく、編出しとなる。２コース目では、給糸方向を反転して、編針ｎから編針ａまで連続的にニットの編目を形成する。このような１コース目と２コース目とは、図１（ｂ）の基底編成コース１６に相当する。
【００１９】
３コース目では、編針ａから編針ｇまで、多コースの領域１５ａのみに連続的に給糸してニットの編目を形成する。少コースの領域１５ｂに対しては、境界１５ｃ側の端部の編針ｈにタックで編糸を掛ける。４コース目では、給糸方向を反転して、編針ｇから編針ａまで連続的にニットの編目を形成する。このような３コース目と４コース目とは、図１（ｂ）の追加編成コース１７に相当する。
【００２０】
５コース目から１０コース目までは、基底編成コース１６に相当する編成を行う。１１コース目と１２コース目とは、追加編成コース１７に相当する編成を行う。１３コース目と１４コース目とは、基底編成コース１６に相当する編成を行う。
【００２１】
なお、基底編成コース１６と追加編成コース１７とを、同一の編糸で連続的に編成しているけれども、異なる編糸で編成する区間を連結するインターシャ編成を行うようにしてもよい。また、図２では、単一の針床で編地を編成する場合について説明しているけれども、本発明は、少なくとも一対の針床が対向して設けられる横編機に、好適に適用することができる。平編みなどの組織は、一方の針床のみを使用して編成可能であっても、ゴム編みなどの組織は、両方の針床を使用して編成する。さらに、両方の針床を使用して筒状に編地を編成する場合もある。いずれの場合も、基本的には同様なコース数の調整で、歪みの小さい編地を得ることができる。
【００２２】
図３は、図２で説明しているような編成６を横編機で実行するための編成データを生成するデザイン装置２０の概略的な構成と、デザイン装置２０を使用しての編成データの概略的な作成手順と示す。
【００２３】
図３（ａ）に示すように、デザイン装置２０は、編地のデザインを行うソフトウエアが動作する処理装置２１を含む。処理装置２１には、キーボード、デジタイザ、マウスなどの入力装置２２、グラフィックディスプレイなどの表示装置２３、ＬＡＮなどを介しての外部との通信が可能な通信装置２４、各種記録媒体を着脱可能な外部記録装置２５などが接続される。処理装置２１へのソフトウエアのインストールは、通信装置２４を介するダウンロードによって行ったり、外部記録装置２５にＣＤ−ＲＯＭやＤＶＤ−ＲＯＭなどの記録媒体を装着して行うことができる。このソフトウエアには、図３（ｂ）に示す手順で編成データを生成するプログラムも含むようにする。
【００２４】
図３（ｂ）に示すように、編成データを生成するプログラムが開始されると、ステップｓ１として、操作者が入力装置２２に編成すべき編地の基礎となる形状を表す型紙データを入力する。型紙データは、実際に型紙を作成し、スキャナなどで読込むことができる。また、ＣＡＤソフトウエアで直接作成することもできる。さらに、単に編地の外形として設定することもできる。操作者は、表示装置２３に表示されるデザイン結果を見ながら、ステップｓ２で型紙の各部を編成する編目ループ長や目数などの編目仕様の設定を行う。編目仕様は、たとえば特許文献１に示されているような試編みや、それまでの実績などに基づいて、適切な風合いが得られるように設定する。
【００２５】
ステップｓ３からは、デザイン装置２０が自動的に動作を行う。ステップｓ３では、コース数調整の対象となる領域を抽出する。図１（ａ）のような、領域１２ａ，１２ｂ間で編目ループ長などの編目仕様が異なるために、コース数が異なるようになる境界１２ｃを抽出することはもちろんである。後述するように、同一の編目ループ長の編地でも、コース数が異なるように補正することが必要になる場合もある。ステップｓ４では、型紙としての補正が必要か否かを判断する。必要と判断すると、ステップｓ５で型紙の補正が行われる。型紙の補正については、後述する。
【００２６】
ステップｓ４で型紙の補正が必要でないと判断するか、ステップｓ５で型紙を補正すると、ステップｓ６で基底編成コース１６を設定する。基底編成コース１６は、少コース側となる領域１２ｂのコース数だけ設定する。ステップｓ７では、追加編成コース１７を設定する。追加編成コース１７の数は、多コース側となる領域１２ａのコース数と少コース側となる領域１２ｂのコース数との差とする。追加編成コース１７は、基底編成コース１６の間に分散して挿入する。ただし、基底編成コース１６と追加編成コース１７とは、図２に示すように、往復の編成を単位として設定することが好ましい。ステップｓ８では、コース数の調整を含む編成データを生成し、手順を終了する。
したがって、たとえば、図１（ａ）のように、多コース領域としての領域１２ａで１４コース、少コース領域としての領域１２ｂで１０コースの編成を行う場合、図１（ｂ）のように１０コースの基底編成コース１６と４コースの追加編成コース１７とを設定する。追加編成コース１７は、往復２コース分ずつ、基底編成コース１６中の２カ所に分散して挿入する。基底編成コース１６を３等分する位置に近く、しかも基底編成コース１６も往復２コース分ずつ配置するとすれば、図１（ｂ）に示す追加編成コース１７の挿入位置は自動的に決めることができる。全体的にコース数が多くなる場合には、基底編成コース１６中に追加編成コース１７を均等に分散させることで直線状の境界を得ることができる。また、分散状態が均等でないように調整すれば、曲線状の境界を得ることもできる。
【００２７】
図４は、同一の編目ループの大きさの編地でも、図３（ｂ）のステップｓ４で、型紙を補正することが必要になる場合の一例を示す。図４（ａ）に示す型紙３０は、コース方向とウエール方向との両方から傾斜している傾斜境界３０ａとウエール方向の直線境界３０ｂとを接合して立体的な編地を得るためのノッチを有する。傾斜境界３０ａの長さは、たとえば５５．９ｍｍとなり、直線境界３０ｂの長さは、たとえば５０ｍｍとなる。図４（ｂ）は、図３（ｂ）のステップｓ５による補正後の補正型紙３１を示す。補正前の型紙３０に対応する編地では、接合時に隣接するようになる傾斜境界３０ａの左側の領域と直線境界３０ｂの右側の領域とで、編成時のコース数は等しくなる。補正型紙３１に対応する編地では、傾斜境界３１ａは図４（ａ）の傾斜境界３０ａと同一であるけれども、直線境界３０ｂを長さが５５．９ｍｍとなる補正境界３１ｂに補正するために、付加コース領域３１ｃを追加する。すなわち、補正型紙３１に対応する編地では、補正境界３１ｂより右側の領域でコース数を増加させる。この結果、補正境界３１ｂよりも右側が多コース領域となり、傾斜境界３１ａより左側が少コース領域となって、コース数の調整が行われる。
【００２８】
図４（ｃ）は、コース数を調整した調整編地３５を示す。少コース側となる領域３５ａは、基底編成コース３６のみで編成する。多コース側となる領域３５ｂは、基底編成コース３６中に追加編成コース３７を分散させて編成する。この結果、多コース側の領域３５ｂでは、基底編成コース３６と追加編成コース３７とが設定順に編成される。少コース側の領域３５ａの編成では、多コース側の領域３５ｂでの基底編成コース３６の編成時のみ基底編成コース３６を共通に編成する。編成を進めながら、領域３５ａ，３５ｂ間は接合される。
【００２９】
図４（ｄ）は、図４（ｃ）の調整編地３５の領域３５ａ，３５ｂを接合した接合編地３８を示す。接合編地３８では、調整編地３５の領域３５ａ，３５ｂにそれぞれ対応する領域３８ａ，３８ｂが接合される。領域３８ｂは、全体的に領域３８ａとの境界側に寄せられる。
【００３０】
図５は、図４（ｄ）の接合編地３８を編成する過程の例を概略的に示す。図の左側の数値は相対的な編成コースの順番を示す。図の右側の矢印は、編糸を給糸する方向を示す。１コース目と２コース目とでは、基底編成コース３６を編成する。３コース目と４コース目とでは、追加編成コース３７を編成する。３コース目の最後には、タック掛けを行う。次に２目分左に寄せて、５コース目と６コース目とで基底編成コース３６を編成する。７コース目と８コース目とでは、タック掛けを含む追加編成コース３７を編成する。さらに２目分左に寄せてから、９コース目と１０コース目とで、基底編成コース３６を編成する。
【００３１】
図６は、型紙を補正してからコース数の調整を行う他の例を示す。図６（ａ）に示すような型紙４０で、対向する境界が屈曲している領域４０ａでの境界線の長さに合わせて、境界が直線状の領域４０ｂを補正し、図６（ｂ）に示す補正型紙４１を得る。補正型紙４１では、境界が屈曲する領域４１ａは型紙４０の領域４０ａと同一である。境界が直線状の領域４１ｂは、領域４１に境界線の長さを合わせるように、ウエール方向に引き延されている。図６（ｃ）に示す接合編地４２は、補正型紙４１に対応する編成コース数の調整を行い、基底編成コースのみで編成する領域４２ａに、追加編成コースを付加している領域４２ｂを接合している。
【００３２】
図７は、本実施の形態でのコース数の調整を適用しながら編成するセータ５０の例を示す。図７（ａ）に示すようなセータ５０では、身頃となる上半部５１Ｒ，５１Ｌと下半部５２Ｒ，５２Ｌとの両側に袖５３Ｒ，５３Ｌを形成する。身頃の前面には、大きく上衿５４Ｒ，５４Ｌおよび下衿５５Ｒ，５５Ｌを形成し、上衿５４Ｒ，５４Ｌの頂部に首部５６を形成する。セータ５０は、少なくとも前後一対の針床を備える横編機によるＣ字状の給糸の繰り返しで編成される。たとえば、上半部５１Ｒ，５１Ｌおよび上衿５４Ｒ，５４Ｌは前針床で編成し、下半部５２Ｒ，５２Ｌおよび下衿５５Ｒ，５５Ｌは後針床で編成すると、上半部５１Ｒ，５１Ｌと下半部５２Ｒ，５２Ｌとの間は、前後の針床間の歯口を渡る部分となり、上衿５４Ｒ，５４Ｌと下衿５５Ｒ，５５Ｌとの間は分離する。セータ５０は、右側の上下境界５７Ｒが編出し部となり、左側の上下境界５７Ｌが編み終り部となる。
【００３３】
図７（ｂ）は、セータ５０を横編機で編成した状態を示す。ただし、端糸や抜き糸、捨て糸などは省略する。たとえば、右側の袖５３Ｒおよび身頃の上半部５１Ｒや下半部５２Ｒ、上衿５４Ｒ、下衿５５Ｒを上下境界５７Ｒ側から編出して前後の針床で編成する。首部５６を経て、左側の袖５３Ｌおよび身頃の上半部５１Ｌや下半部５２Ｌ、上衿５４Ｌ、下衿５５Ｌを編成して、上下境界５７Ｌで前後の編地を繋げるために、上半部５１Ｌ、下半部５２Ｌ、上衿５４Ｌ、および下衿５５Ｌの終端部で伏目処理を行って終了する。身頃の右側と左側とは、左右境界５８を挟んで連続的に編成される。
【００３４】
上半部５１Ｒ，５１Ｌおよび下半部５２Ｒ，５２Ｌなどの身頃は平編みで編成し、上衿５４Ｒ，５４Ｌおよび下衿５５Ｒ，５５Ｌの衿はガーター編みで編成する。平編みとガーター編みとでは、編目ループの大きさが異なり、境界ではコース数の調整が行われる。また、首部５６付近でもノッチの接合で立体的な形状を形成する境界でコース数の調整が行われる。
【００３５】
図８は、図７（ｂ）に示すように編成するセータ５０に対応する型紙を示す。図８（ａ）では、たとえば後針床で編成する下半部５２Ｒ，５２Ｌと下衿５５Ｒ，５５Ｌとの境界で、編目ループの大きさの違いをコース数で調整する。図８（ｂ）では、たとえば前針床で編成する上半部５１Ｒ，５１Ｌと上衿５４Ｒ，５４Ｌとの境界で編目ループの大きさの調整を行うとともに、首５６付近での調整も行う。上半部５１Ｒで接合を行う外形部分は、境界線６０、境界線６１、境界線６２、および境界線６３に分けることができる。上半部５１Ｌで接合を行う外形部分は、境界線６４、境界線６５、境界線６６および境界線６７に分けることができる。上衿５４Ｒで接合を行う外形は、境界線７０および境界線７１に分けることができる。上衿５４Ｌで接合を行う外形は、境界線７２および境界線７３に分けることができる。上半部５１Ｒ，５１Ｌと上衿５４Ｒ，５４Ｌとの間の接合は、境界線６０、６３，６４，６７と境界線７０，７１，７２，７３との間でそれぞれ行われる。首５６付近での接合は、境界線６１と境界線６２との間、および境界線６５と境界線６６との間でそれぞれ行われる。接合の際にコース数の調整を行うことによって、図７（ｂ）に示すようなセータ５０を歪みが小さい状態で編成することができる。
【図面の簡単な説明】
【００３６】
【図１】本発明の実施の一形態としての編成コース数の調整方法を模式的に示す図である。
【図２】図１（ｂ）の調整編地１５を、横編機の針床に連続して配置される編針ａ，ｂ，ｃ，…，ｎの区間で、平編みとして編成する過程を示す編成図である。
【図３】図２で説明しているような編成６を横編機で実行するための編成データを生成するデザイン装置２０の概略的な構成を示すブロック図、およびデザイン装置２０を使用しての編成データの概略的な作成手順と示すフローチャートである。
【図４】図３（ｂ）のステップｓ４で、コース数が異なるように補正することが必要になる場合の一例を示す図である。
【図５】図４（ｄ）の接合編地３８を編成する過程の例を概略的に示す図である。
【図６】図３（ｂ）のステップｓ４で、コース数が異なるように補正することが必要になる場合の他の例を示す図である。
【図７】本実施の形態でのコース数の調整を適用しながら編成するセータ５０の例を外観で示す図である。
【図８】図７のセータ５０に対応する型紙を示す図である。
【図９】従来からの方法で、二つの型紙１ａ，１ｂを接合した編地をデザインし、横編機で編成して編地を製造するまでの過程を模式的に示す図である。
【符号の説明】
【００３７】
１２  デザイン編地
１２ａ，１２ｂ，１３ａ，１３ｂ，１５ａ，１５ｂ，３５ａ，３５ｂ，３８ａ，３８ｂ，４０ａ，４０ｂ，４１ａ，４１ｂ，４２ａ，４２ｂ  領域
１２ｃ，１３ｃ，１５ｃ  境界
１３  編成編地
１５，３５  調整編地
１６，３６  基底編成コース
１７，３７  追加編成コース
２０  デザイン装置
３０，４０  型紙
３０ａ，３１ａ  傾斜境界
３０ｂ  直線境界
３１，４１  補正型紙
３１ｂ  補正境界
３８，４２  接合編地
５０  セータ
【図１】
2009120987.tif 000003
【図２】
2009120987.tif 000004
【図３】
2009120987.tif 000005
【図４】
2009120987.tif 000006
【図５】
2009120987.tif 000007
【図６】
2009120987.tif 000008
【図７】
2009120987.tif 000009
【図８】
2009120987.tif 000010
【図９】
2009120987.tif 000011